(57)【要約】【課題】本発明は、検索用ページのレイアウトを、ユーザ（企業）ごとに変えることができる、検索サイトのサーバを提供することを目的とする。【解決手段】検索サイトのサーバ１０１は、利用者の端末１１からのアクセスを、ポータルサイト４１又は企業のサイト２１を経由して受け付け、データベース連動型のホームページを提供する。また、検索サイトのサーバ１０１には、データベース１１３に商品関連情報を登録する企業ごとに、検索用ページのレイアウトを規定するテンプレートを登録しておく。そして、この登録されたテンプレートを基にして、端末１１からのアクセスが経由する企業サイトごと、または参照される企業ごとにレイアウトを変えた検索用ページを利用者の端末１１に提供する。【選択図】  図１
2005025287.tif 000002
【特許請求の範囲】
【請求項１】
利用者の端末からのアクセスを、仲介サイトを経由して受け付け、データベース連動型のホームページを提供する検索サイトのサーバであって、
商品関連情報を記憶するデータベースと、
前記仲介サイトごとに、前記商品関連情報の検索用ページのレイアウトを規定するテンプレートを前記データベースに登録するためのテンプレート登録手段と、
利用者の端末からのアクセスを受付け、経由してきた仲介サイトを認識してこの仲介サイトに対応するテンプレートを前記データベースから抽出し、抽出した前記テンプレートに従って仲介サイトごとにレイアウトを変えた検索用ページを、前記利用者の端末に提供するための検索用ページ提供手段と
を備えることを特徴とする検索サイトのサーバ。
【請求項２】
利用者の端末からのアクセスを、仲介サイトを経由して受け付け、データベース連動型のホームページを提供する検索サイトのサーバであって、
商品関連情報を記憶するデータベースと、
前記データベースに商品関連情報を登録する企業ごとに、該商品関連情報の検索用ページのレイアウトを規定するテンプレートを登録するためのテンプレート登録手段と、
利用者の端末からのアクセスを受付け、参照される企業に対応するテンプレートを前記データベースから抽出し、抽出した前記テンプレートに従って参照される企業ごとにレイアウトを変えた検索用ページを、前記利用者の端末に提供するための検索用ページ提供手段と
を備えることを特徴とする検索サイトのサーバ。
【請求項３】
利用者の端末からのアクセスを、仲介サイトを経由して受け付け、データベース連動型のホームページを提供する検索サイトのサーバであって、
商品関連情報を記憶するデータベースと、
前記仲介サイトごとに、前記商品関連情報の検索用ページのレイアウトを規定する１または２以上のテンプレートを前記データベースに登録するためのテンプレート登録手段と、
利用者の端末からのアクセスを受付け、経由してきた仲介サイトを認識し、この仲介サイトに対応する前記テンプレートを前記データベースから読み出して前記利用者の端末に提示し、利用者の端末において選択させるためのテンプレート選択手段と、
前記選択されたテンプレートにより規定されたレイアウトの検索用ページを前記利用者の端末に提供するための検索用ページ提供手段と
を備えることを特徴とする検索サイトのサーバ。
【請求項４】
利用者の端末からのアクセスを、仲介サイトを経由して受け付け、データベース連動型のホームページを提供する検索サイトのサーバであって、
商品関連情報を記憶するデータベースと、
前記データベースに商品関連情報を登録する企業ごとに、該商品関連情報の検索用ページのレイアウトを規定する１または２以上のテンプレートを登録するためのテンプレート登録手段と、
利用者の端末からのアクセスを受付け、参照される企業に対応する前記テンプレートを前記データベースから読み出して前記利用者の端末に提示し、利用者の端末において選択させるためのテンプレート選択手段と、
前記選択されたテンプレートにより規定されたレイアウトの検索用ページを前記利用者の端末に提供するための検索用ページ提供手段と
を備えることを特徴とする検索サイトのサーバ。
【請求項５】
前記仲介サイトは、ユーザが経由した企業サイトまたはポータルサイトであることを特徴とする
請求項１から請求項４のいずれかの項に記載の検索サイトのサーバ。
【請求項６】
利用者の端末からのアクセスを、仲介サイトを経由して受け付け、データベース連動型のホームページを提供する検索サイトのサーバにおける検索用ページ提供方法であって、
商品関連情報を記憶するデータベースを用意し、
前記仲介サイトごとに、前記商品関連情報の検索用ページのレイアウトを規定するテンプレートを前記データベースに登録するためのテンプレート登録手順と、
利用者の端末からのアクセスを受付け、経由してきた仲介サイトを認識してこの仲介サイトに対応するテンプレートを前記データベースから抽出し、抽出した前記テンプレートに従って仲介サイトごとにレイアウトを変えた検索用ページを、前記利用者の端末に提供するための検索用ページ提供手順と
を含むことを特徴とする検索用ページ提供方法。
【請求項７】
利用者の端末からのアクセスを、仲介サイトを経由して受け付け、データベース連動型のホームページを提供する検索サイトのサーバにおける検索用ページ提供方法であって、
商品関連情報を記憶するデータベースを用意し、
前記データベースに商品関連情報を登録する企業ごとに、該商品関連情報の検索用ページのレイアウトを規定するテンプレートを登録するためのテンプレート登録手順と、
利用者の端末からのアクセスを受付け、参照される企業に対応するテンプレートを前記データベースから抽出し、抽出した前記テンプレートに従って参照される企業ごとにレイアウトを変えた検索用ページを、前記利用者の端末に提供するための検索用ページ提供手順と
を含むことを特徴とする検索用ページ提供方法。
【請求項８】
利用者の端末からのアクセスを、仲介サイトを経由して受け付け、データベース連動型のホームページを提供する検索サイトのサーバにおける検索用ページ提供方法であって、
商品関連情報を記憶するデータベースを用意し、
前記仲介サイトごとに、前記商品関連情報の検索用ページのレイアウトを規定する１または２以上のテンプレートを前記データベースに登録するためのテンプレート登録手順と、
利用者の端末からのアクセスを受付け、経由してきた仲介サイトを認識し、この仲介サイトに対応する前記テンプレートを前記データベースから読み出して前記利用者の端末に提示し、利用者の端末において選択させるためのテンプレート選択手順と、
前記選択されたテンプレートにより規定されたレイアウトの検索用ページを前記利用者の端末に提供するための検索用ページ提供手順と
を含むことを特徴とする検索用ページ提供方法。
【請求項９】
利用者の端末からのアクセスを、仲介サイトを経由して受け付け、データベース連動型のホームページを提供する検索サイトのサーバにおける検索用ページ提供方法であって、
商品関連情報を記憶するデータベースを用意し、
前記データベースに商品関連情報を登録する企業ごとに、該商品関連情報の検索用ページのレイアウトを規定する１または２以上のテンプレートを登録するためのテンプレート登録手順と、
利用者の端末からのアクセスを受付け、参照される企業に対応する前記テンプレートを前記データベースから読み出して前記利用者の端末に提示し、利用者の端末において選択させるためのテンプレート選択手順と、
前記選択されたテンプレートにより規定されたレイアウトの検索用ページを前記利用者の端末に提供するための検索用ページ提供手順と
を含むことを特徴とする検索用ページ提供方法。
【請求項１０】
前記仲介サイトは、ユーザが経由した企業サイトまたはポータルサイトであることを特徴とする
請求項６から請求項９のいずれかの項に記載の検索用ページ提供方法。
【請求項１１】
利用者の端末からのアクセスを、仲介サイトを経由して受け付け、データベース連動型のホームページを提供する検索サイトのサーバ内のコンピュータに、
前記仲介サイトごとに、商品関連情報の検索用ページのレイアウトを規定するテンプレートをデータベースに登録するためのテンプレート登録手順と、
利用者の端末からのアクセスを受付け、経由してきた仲介サイトを認識してこの仲介サイトに対応するテンプレートを前記データベースから抽出し、抽出した前記テンプレートに従って仲介サイトごとにレイアウトを変えた検索用ページを、前記利用者の端末に提供するための検索用ページ提供手順と
を実行させるためのプログラム。
【請求項１２】
利用者の端末からのアクセスを、仲介サイトを経由して受け付け、データベース連動型のホームページを提供する検索サイトのサーバ内のコンピュータに、
データベースに商品関連情報を登録する企業毎に、該商品関連情報の検索用ページのレイアウトを規定するテンプレートを登録するためのテンプレート登録手順と、
利用者の端末からのアクセスを受付け、参照される企業に対応するテンプレートを前記データベースから抽出し、抽出した前記テンプレートに従って参照される企業ごとにレイアウトを変えた検索用ページを、前記利用者の端末に提供するための検索用ページ提供手順と
を実行させるためのプログラム。
【請求項１３】
利用者の端末からのアクセスを、仲介サイトを経由して受け付け、データベース連動型のホームページを提供する検索サイトのサーバ内のコンピュータに、
前記仲介サイトごとに、商品関連情報の検索用ページのレイアウトを規定する１または２以上のテンプレートをデータベースに登録するためのテンプレート登録手順と、
利用者の端末からのアクセスを受付け、経由してきた仲介サイトを認識し、この仲介サイトに対応する前記テンプレートを前記データベースから読み出して前記利用者の端末に提示し、利用者の端末において選択させるためのテンプレート選択手順と、
前記選択されたテンプレートにより規定されたレイアウトの検索用ページを前記利用者の端末に提供するための検索用ページ提供手順と
を実行させるためのプログラム。
【請求項１４】
利用者の端末からのアクセスを、仲介サイトを経由して受け付け、データベース連動型のホームページを提供する検索サイトのサーバ内のコンピュータに、
データベースに商品関連情報を登録する企業毎に、該商品関連情報の検索用ページのレイアウトを規定する１または２以上のテンプレートを登録するためのテンプレート登録手順と、
利用者の端末からのアクセスを受付け、参照される企業に対応する前記テンプレートを前記データベースから読み出して前記利用者の端末に提示し、利用者の端末において選択させるためのテンプレート選択手順と、
前記選択されたテンプレートにより規定されたレイアウトの検索用ページを前記利用者の端末に提供するための検索用ページ提供手順と
を実行させるためのプログラム。
【発明の詳細な説明】
【０００１】
【発明の属する技術分野】
この発明は、コンピュータシステムに係り、特に、データベース連動型ホームページを提供する検索サイトにおいて、ユーザごとに検索用ページの表示レイアウトを変えることができる、検索サイトのサーバ、及び検索用ページ提供方法に関する。
【０００２】
【従来の技術】
近時、ＡＤＳＬが普及するなどインターネットの利用が益々盛んになり、インターネットを通して、多種多様な情報が豊富に提供されるようになっている。利用者は、インターネットを通して情報を入手する場合は、ポータルサイトなどにアクセスし、検索欄を利用して情報の絞り込みを行い、所望の情報を入手している。
【０００３】
ところで、例えば、ポータルサイトなどで検索結果を表示する場合、これまでは、たとえ登録した企業（以下、ユーザとも言う）が複数、多業種、他業界に渡っていても、アクセス結果や検索結果の表示レイアウトはすべて全く同じであった。また、そのレイアウトは、ポータルサイト運営側が提供するものに限られており、デザインや構成において自由度が著しく乏しかった。
また、表示レイアウトが単一であるため、掲載するデータ項目がユーザごとにまちまちである場合であっても、表示の際には、レイアウト内のデータ項目を全て網羅して表示しなければならなかった。
【０００４】
したがって、検索結果の表示レイアウトは、ポータルサイト運営側だけでなくユーザ（企業）側からもある程度自由にデザインできることができ、ユーザごとに表示項目を選ぶことができるシステムの提供が望まれていた。
【０００５】
なお、ユーザの選択により、表示される画像情報をある程度設定できるという観点から、例えば、特許文献１「柄デザインシミュレーションシステム及び柄デザインシミュレーションシステムに用いるサーバ及び柄デザインシミュレーション方法並びにプログラム及びプログラムを記録したコンピュータに読み取り可能な記録媒体及び出力物」に開示された発明がある。
【０００６】
特許文献１で開示された発明は、建築関連製品に対する柄デザインのシミュレーションを行い、建築関連製品の全体的な見栄えを確認できるようにする発明であり、建築関連製品をシミュレーションする柄デザインシミュレーションシステムであって、予め建築製品情報を記憶している製品データベースと、予め柄画像情報を記憶している柄画像データベースと、操作者にこれら各データベースから建築製品情報と、１乃至複数の柄情報とを選択を促す選択手段と、この選択された建築製品情報に基づいて、柄情報を建築関連製品のサイズに対応できるように柄画像情報を繰り返すリピート手段と、この選択された建築製品情報に基づいて、建築関連製品の各パーツに対応した柄画像情報の方向を判断する方向検出手段と、この選択された建築製品情報に基づいて、柄画像情報に対して陰影を施す箇所を明示する陰影処理手段とを有する。
【０００７】
【特許文献１】
特開２００２−２９７６８９号公報
【０００８】
【発明が解決しようとする課題】
しかしながら、特許文献１で開示された発明は、建築関連製品に対する柄デザインのシミュレーションを行い、建築関連製品の全体的な見栄えを確認できるようにすることを目的としたものであり、本発明のように、検索結果の表示レイアウトをポータルサイト運営側だけでなくユーザ側からもある程度自由にデザインできることができ、ユーザごとに表示項目を選ぶことができるシステムを提供しようとする発明とは、その目的と用途が異なるものである。
【０００９】
本発明はこのような問題を解決するためになされたもので、その目的は、データベース連動型ホームページを提供する検索サイトにおいて、検索用ページの表示レイアウトを、ユーザ（企業）側から自由にデザインできることを可能にし、またユーザごとに表示項目を選ぶことを可能にする、検索サイトのサーバ、及び検索用ページ提供方法を提供することにある。
【００１０】
【課題を解決するための手段】
本発明はかかる課題を解決するものであり、請求項１の発明は、利用者の端末からのアクセスを、仲介サイトを経由して受け付け、データベース連動型のホームページを提供する検索サイトのサーバであって、商品関連情報を記憶するデータベースと、前記仲介サイトごとに、前記商品関連情報の検索用ページのレイアウトを規定するテンプレートを前記データベースに登録するためのテンプレート登録手段と、利用者の端末からのアクセスを受付け、経由してきた仲介サイトを認識してこの仲介サイトに対応するテンプレートを前記データベースから抽出し、抽出した前記テンプレートに従って仲介サイトごとにレイアウトを変えた検索用ページを、前記利用者の端末に提供するための検索用ページ提供手段とを備えることを特徴とする検索サイトのサーバとしたものである。
【００１１】
本発明の請求項２の発明は、利用者の端末からのアクセスを、仲介サイトを経由して受け付け、データベース連動型のホームページを提供する検索サイトのサーバであって、商品関連情報を記憶するデータベースと、前記データベースに商品関連情報を登録する企業ごとに、該商品関連情報の検索用ページのレイアウトを規定するテンプレートを登録するためのテンプレート登録手段と、利用者の端末からのアクセスを受付け、参照される企業に対応するテンプレートを前記データベースから抽出し、抽出した前記テンプレートに従って参照される企業ごとにレイアウトを変えた検索用ページを、前記利用者の端末に提供するための検索用ページ提供手段とを備えることを特徴とする検索サイトのサーバとしたものである。
【００１２】
本発明の請求項３の発明は、利用者の端末からのアクセスを、仲介サイトを経由して受け付け、データベース連動型のホームページを提供する検索サイトのサーバであって、商品関連情報を記憶するデータベースと、前記仲介サイトごとに、前記商品関連情報の検索用ページのレイアウトを規定する１または２以上のテンプレートを前記データベースに登録するためのテンプレート登録手段と、利用者の端末からのアクセスを受付け、経由してきた仲介サイトを認識し、この仲介サイトに対応する前記テンプレートを前記データベースから読み出して前記利用者の端末に提示し、利用者の端末において選択させるためのテンプレート選択手段と、前記選択されたテンプレートにより規定されたレイアウトの検索用ページを前記利用者の端末に提供するための検索用ページ提供手段とを備えることを特徴とする検索サイトのサーバとしたものである。
【００１３】
本発明の請求項４の発明は、利用者の端末からのアクセスを、仲介サイトを経由して受け付け、データベース連動型のホームページを提供する検索サイトのサーバであって、商品関連情報を記憶するデータベースと、前記データベースに商品関連情報を登録する企業ごとに、該商品関連情報の検索用ページのレイアウトを規定する１または２以上のテンプレートを登録するためのテンプレート登録手段と、利用者の端末からのアクセスを受付け、参照される企業に対応する前記テンプレートを前記データベースから読み出して前記利用者の端末に提示し、利用者の端末において選択させるためのテンプレート選択手段と、前記選択されたテンプレートにより規定されたレイアウトの検索用ページを前記利用者の端末に提供するための検索用ページ提供手段とを備えることを特徴とする検索サイトのサーバとしたものである。
【００１４】
本発明の請求項５の発明は、請求項１から請求項４のいずれかの項に記載の検索サイトのサーバであって、前記仲介サイトは、ユーザが経由した企業サイトまたはポータルサイトであることを特徴としたものである。
【００１５】
本発明の請求項６の発明は、利用者の端末からのアクセスを、仲介サイトを経由して受け付け、データベース連動型のホームページを提供する検索サイトのサーバにおける検索用ページ提供方法であって、商品関連情報を記憶するデータベースを用意し、前記仲介サイトごとに、前記商品関連情報の検索用ページのレイアウトを規定するテンプレートを前記データベースに登録するためのテンプレート登録手順と、利用者の端末からのアクセスを受付け、経由してきた仲介サイトを認識してこの仲介サイトに対応するテンプレートを前記データベースから抽出し、抽出した前記テンプレートに従って仲介サイトごとにレイアウトを変えた検索用ページを、前記利用者の端末に提供するための検索用ページ提供手順とを含むことを特徴とする検索用ページ提供方法としたものである。
【００１６】
本発明の請求項７の発明は、利用者の端末からのアクセスを、仲介サイトを経由して受け付け、データベース連動型のホームページを提供する検索サイトのサーバにおける検索用ページ提供方法であって、商品関連情報を記憶するデータベースを用意し、前記データベースに商品関連情報を登録する企業ごとに、該商品関連情報の検索用ページのレイアウトを規定するテンプレートを登録するためのテンプレート登録手順と、利用者の端末からのアクセスを受付け、参照される企業に対応するテンプレートを前記データベースから抽出し、抽出した前記テンプレートに従って参照される企業ごとにレイアウトを変えた検索用ページを、前記利用者の端末に提供するための検索用ページ提供手順とを含むことを特徴とする検索用ページ提供方法としたものである。
【００１７】
本発明の請求項８の発明は、利用者の端末からのアクセスを、仲介サイトを経由して受け付け、データベース連動型のホームページを提供する検索サイトのサーバにおける検索用ページ提供方法であって、商品関連情報を記憶するデータベースを用意し、前記仲介サイトごとに、前記商品関連情報の検索用ページのレイアウトを規定する１または２以上のテンプレートを前記データベースに登録するためのテンプレート登録手順と、利用者の端末からのアクセスを受付け、経由してきた仲介サイトを認識し、この仲介サイトに対応する前記テンプレートを前記データベースから読み出して前記利用者の端末に提示し、利用者の端末において選択させるためのテンプレート選択手順と、前記選択されたテンプレートにより規定されたレイアウトの検索用ページを前記利用者の端末に提供するための検索用ページ提供手順とを含むことを特徴とする検索用ページ提供方法としたものである。
【００１８】
本発明の請求項９の発明は、利用者の端末からのアクセスを、仲介サイトを経由して受け付け、データベース連動型のホームページを提供する検索サイトのサーバにおける検索用ページ提供方法であって、商品関連情報を記憶するデータベースを用意し、前記データベースに商品関連情報を登録する企業ごとに、該商品関連情報の検索用ページのレイアウトを規定する１または２以上のテンプレートを登録するためのテンプレート登録手順と、利用者の端末からのアクセスを受付け、参照される企業に対応する前記テンプレートを前記データベースから読み出して前記利用者の端末に提示し、利用者の端末において選択させるためのテンプレート選択手順と、前記選択されたテンプレートにより規定されたレイアウトの検索用ページを前記利用者の端末に提供するための検索用ページ提供手順とを含むことを特徴とする検索用ページ提供方法としたものである。
【００１９】
本発明の請求項１０の発明は、請求項６から請求項９のいずれかの項に記載の検索用ページ提供方法であって、前記仲介サイトは、ユーザが経由した企業サイトまたはポータルサイトであることを特徴としたものである。
【００２０】
本発明の請求項１１の発明は、利用者の端末からのアクセスを、仲介サイトを経由して受け付け、データベース連動型のホームページを提供する検索サイトのサーバ内のコンピュータに、前記仲介サイトごとに、商品関連情報の検索用ページのレイアウトを規定するテンプレートをデータベースに登録するためのテンプレート登録手順と、利用者の端末からのアクセスを受付け、経由してきた仲介サイトを認識してこの仲介サイトに対応するテンプレートを前記データベースから抽出し、抽出した前記テンプレートに従って仲介サイトごとにレイアウトを変えた検索用ページを、前記利用者の端末に提供するための検索用ページ提供手順とを実行させるためのプログラムとしたものである。
【００２１】
本発明の請求項１２の発明は、利用者の端末からのアクセスを、仲介サイトを経由して受け付け、データベース連動型のホームページを提供する検索サイトのサーバ内のコンピュータに、データベースに商品関連情報を登録する企業毎に、該商品関連情報の検索用ページのレイアウトを規定するテンプレートを登録するためのテンプレート登録手順と、利用者の端末からのアクセスを受付け、参照される企業に対応するテンプレートを前記データベースから抽出し、抽出した前記テンプレートに従って参照される企業ごとにレイアウトを変えた検索用ページを、前記利用者の端末に提供するための検索用ページ提供手順とを実行させるためのプログラムとしたものである。
【００２２】
本発明の請求項１３の発明は、利用者の端末からのアクセスを、仲介サイトを経由して受け付け、データベース連動型のホームページを提供する検索サイトのサーバ内のコンピュータに、前記仲介サイトごとに、商品関連情報の検索用ページのレイアウトを規定する１または２以上のテンプレートをデータベースに登録するためのテンプレート登録手順と、利用者の端末からのアクセスを受付け、経由してきた仲介サイトを認識し、この仲介サイトに対応する前記テンプレートを前記データベースから読み出して前記利用者の端末に提示し、利用者の端末において選択させるためのテンプレート選択手順と、前記選択されたテンプレートにより規定されたレイアウトの検索用ページを前記利用者の端末に提供するための検索用ページ提供手順とを実行させるためのプログラムとしたものである。
【００２３】
本発明の請求項１４の発明は、利用者の端末からのアクセスを、仲介サイトを経由して受け付け、データベース連動型のホームページを提供する検索サイトのサーバ内のコンピュータに、データベースに商品関連情報を登録する企業毎に、該商品関連情報の検索用ページのレイアウトを規定する１または２以上のテンプレートを登録するためのテンプレート登録手順と、利用者の端末からのアクセスを受付け、参照される企業に対応する前記テンプレートを前記データベースから読み出して前記利用者の端末に提示し、利用者の端末において選択させるためのテンプレート選択手順と、前記選択されたテンプレートにより規定されたレイアウトの検索用ページを前記利用者の端末に提供するための検索用ページ提供手順とを実行させるためのプログラムとしたものである。
【００２４】
【発明の実施の形態】
以下、本発明の実施の形態について図面を参照して説明する。
【００２５】
図１は、本発明による検索サイトのサーバを用いたシステムの構成例を示す図である。図１において、利用者の端末１１は、例えば、小売業者や卸売業者の端末であり、通信ネットワーク１を介して、企業Ａサイト２１のサーバ２２、企業Ｂのサイト３１のサーバ３２、ポータルサイト４１のサーバ４２、検索サイト１００のサーバ１０１と接続される。また、検索サイト１００は、各企業の製品情報などの商品関連情報を記憶するデータベース１１３を備え、該データベース１１３と連動する情報検索用のホームページ（Ｗｅｂページ）を提供する。なお、データベースと連動して情報検索を行うためのホームページ（検索用ページを含むＷｅｂページ）を「データベース連動型ホームページ」ともいう。
【００２６】
図１に示すシステム構成において、利用者は、利用者の端末１１から企業Ａのサーバ２２にアクセスし、企業Ａサイト２１のホームページを開く。それから、この企業Ａのホームページ上の「情報検索メニュー（検索欄）」を選択（検索サイトへアクセス指定）すると、利用者の端末１１からのアクセスは、検索サイトのサーバ１０１にリンクされ、検索サイト１００が提供するＤＢ連動型ホームページ（データベース１１３と連動する検索用ページ）が開かれる。利用者は、この検索用ページで、調べたい製品などについての情報を検索する。なお、この検索用ページは、企業Ａが予めデータベース１１３に登録したテンプレートより作成された検索用ページであり、企業Ａ向けにカスタマイズされた検索用ページである。また、利用者の端末１１から企業Ｂサイト３１のサーバ３２にアクセスする場合についても同様である。
【００２７】
また、利用者の端末１１からポータルサイト４１のサーバ４２にアクセスし、ポータルサイト４１のホームページを開く場合は、ポータルサイトのサーバ４２により会員認証を受けた後に、ポータルサイト４１のホームページを閲覧することができる。そして、ポータルサイト４１のホームページ上で「情報検索メニュー（検索欄）」を選択すると、利用者の端末１１からのアクセスは、検索サイト１００のサーバ１０１にリンクされ、検索サイト１００が提供するＤＢ連動型のホームページ（データベース１１３と連動する検索用ページ）が開かれる。利用者は、この検索用ページで、調べたい製品などについての情報を検索する。なお、この検索用ページは、ポータルサイト４１を経由して参照される企業が予めデータベース１１３に登録したテンプレートにより作成された検索用ページであり、各企業向けにカスタマイズされた検索用ページである。
【００２８】
また、図２は、本発明の概念を説明するための図であり、利用者の端末１１乃至１３から、検索サイトのサーバ１０１内のデータベース１１３にアクセスする経路と、検索用ページとして選択できる表示デザイン（レイアウト）の例を示したものである。
【００２９】
「経路ａ」は、利用者の端末１１乃至１３から、企業Ａサイト２１を介して、データベース１１３にアクセスする場合である。この場合、利用者は、検索用ページの表示レイアウトとして、デザインＡまたはデザインＡ′を選択することができる。なお、デザインＡ及びデザインＡ′は、企業Ａがテンプレートとして予め作成しデータベース１１３に登録したものであり、利用者の端末１１乃至１３から選択できるようにしたテンプレートである。
【００３０】
「経路ｂ」は、利用者の端末１１乃至１３から、企業Ｂサイト３１を介して、データベース１１３にアクセスする場合である。この場合、利用者は、検索用ページの表示レイアウトとして、デザインＢを使用する。なお、デザインＢは、企業Ｂがテンプレートとして予め作成しデータベース１１３に登録したものである。
【００３１】
「経路ｃ」は、利用者の端末１１乃至１３から、会員制のポータルサイト４１を介して、データベース１１３にアクセスする場合である。この場合には、会員認証後に、データベース１１３の検索を行うことができる。また検索用ページの表示レイアウトとしてデザインＣまたはデザインＣ′を選択することができる。なお、経路ｃにおけるテンプレートについては、基本的にポータルサイトに登録したユーザ（企業）が作成してデータベース１１３に登録するが、ポータルサイト４１の運営のため、もしくはユーザの要望に応じてポータルサイト４１側で作成する場合もある。
このように、利用者はデータベース１１３を検索する経路ごとに、アクセスが経由するサイトが作成したテンプレートを選択することができる。
【００３２】
また、図３は、本発明の検索サイトのサーバが有する手段の構成例を示す図であり、本発明に直接関係する手段について示したものである。
図３において、ユーザ情報登録手段１０２は、検索サイトのサーバ１０１に商品関連情報を登録するユーザ（企業）の情報を登録するための手段であり、商品関連情報登録手段１０３は、登録したユーザ（企業）の商品関連情報をデータベース１１３に登録するための手段である。
【００３３】
テンプレート登録手段１０４は、ユーザ（企業）またはポータルサイトにより作成されたテンプレート（検索用ページのテンプレート）を、ユーザごとにデータベース１１３に登録するための手段である。
【００３４】
テンプレート選択手段１０５は、データベース１１３に登録されたテンプレートを、利用者の端末１１に提示し、利用者の端末１１において選択させるため手段である。この場合に、利用者の端末１１に提示されるテンプレートは、端末１１からのアクセスが経由する企業サイトが登録したテンプレートか、または、ポータルサイト４１を経由して参照される企業が登録したテンプレートである。
【００３５】
検索用ページ提供手段１０６は、データベース１１３に登録されたテンプレートを基に、端末１１からのアクセスが経由する企業サイトごと又は参照される企業ごとにレイアウトを変えた検索用ページを、利用者の端末１１に提供するための手段である。なお、テンプレート選択手段１０５によりテンプレートが選択される場合は、選択されたテンプレートにより規定される検索用ページを利用者の端末１１に表示する。
【００３６】
また、データベース検索手段１０７は、検索用ページに入力された検索条件を基にして、データベース１１３を検索し、検索結果を検索用ページに表示するための手段である。
【００３７】
また、データベース１１３には、検索サイトのサーバ１０１に登録されたユーザ（企業）情報、ユーザの商品関連情報、及びユーザが作成したテンプレートの情報が登録される。
【００３８】
また、図４は、データベース１１３に記録される商品関連情報の構成例を示す図であり、商品データがカテゴリ階層で記録されている例である。図４に示す例では、ルートフォルダ（カテゴリ最上階層）１５の下の階層に、カテゴリ１乃至カテゴリｎのフォルダが含まれる。また、カテゴリ１−１のフォルダには、カテゴリ１−１乃至１−３のフォルダが含まれ、カテゴリ１−１−１にはレコード１乃至ｎのファイルが含まれる。
【００３９】
また、図５は商品カテゴリ階層の具体的な例を示す図である。図５に示す例では、ルートフォルダ１５ａが「水回り」であり、その下に階層に、「キッチン」、「洗面所」、「バス」、「トイレ」などのフォルダが含まれ、「バス」のフォルダにの下の階層には、「風呂釜」、「タイル」、「換気扇」などのフォルダが含まれる。また、フォルダ「風呂釜」には、レコード「風呂釜Ａ」、レコード「風呂釜Ｂ」が含まれる。
【００４０】
また、図６は、検索用ページのテンプレートの構成例を示す図であり、検索用ページのテンプレートのレイアウトを設定するために必要な項目の例を示したものである。テンプレート５０は、必須アイテムの項目５１と、その他の項目５５から構成される。
【００４１】
また、必須アイテムの項目５１は、以下の項目から構成される。
検索フォーム表示部５２は、検索条件を入力するフィールドを指す。テンプレート５０を作成するユーザ（企業）は、この検索フォーム表示部５２の表示形式、入力方法、検索条件などを、カスタマイズすることができる。
【００４２】
商品カテゴリ表示部５３は、データベース１１３に登録されている商品カテゴリのリスト（図４及び図５参照）である。ユーザ（企業）は、このカテゴリ表示の、文字色、背景、サイズ、縦並びか、横並びかなどの表示形式をカスタマイズすることができる。なお、データベース１１３内で規定されたカテゴリ自体をカスタマイズすることはできない。
【００４３】
検索結果表示部５４は、検索結果を表示する表示部であり、一覧表示用と詳細表示用を同時に表示することもできるし、どちらかを表示するように選択することができる。また、データベース１１３内のデータ構成に直接かかわることでなければ、項目名の変更、追加、削除など自由にカスタマイズできる。
【００４４】
また、その他の項目５５は、以下のようなものであり、テンプレートを作成するユーザ（企業）が任意に設定できる項目である。
・会社名、ロゴ表示等
・現在地（階層）表示部
【００４５】
また、図７は、検索サイトのサーバ１０１内での、検索と表示処理について説明するための図であり、必須アイテムの項目５１（図６）内の各表示部、各フォーム等にはプログラム上で識別するために必要な固有名を与えておき、そこに検索条件等を渡すと（ステップＳ１）、検索サイトのサーバ１０１内のプログラムが処理を実行し、表示するページや該当データ等を値として返し（ステップＳ２）、検索結果表示部５４にデータが表示される（ステップＳ３）。
【００４６】
また、図８は、利用者による検索手順の第１のフローを示す図であり、商品の文字情報（品番、品名、価格、サイズなど）を限定できる場合の例である。以下、図８に示すフローを参照して、その手順について説明する。
【００４７】
（１）テンプレートの選択（ステップＳ１０１）
まず、利用者の端末１１からリンク元（企業Ａサイト２１か、企業Ｂサイト３１か、ポータルサイト４１か）を経由して検索サイトのサーバ１０１にアクセスすると、「テンプレート選択画面」が表示され、利用者は所望の「テンプレート」を選択する。なお、テンプレートの選択は、リンク元がどこかに応じて、選択可能である。例えば、企業Ａサイト２１を経由して、検索サイトのサーバ１０１にアクセスする度に、デザインＡの検索用ページを表示するか、またはデザインＡ′の検索用ページを表示するかを、チェックボックスなどで選択できるようにすることができる（図２参照）。また、ポータルサイト４１で会員認証を行う場合は、どの利用者かによりテンプレートを選択することも可能である。
図１１に、テンプレート選択画面の例を示す。図１１は、検索用ページで表示される「商品カタログ」の基調色を選択する場合の例を示したものである。なお、テンプレートの選択は、検索サイトのサーバ１０１が、どのユーザ（企業）かを自動判別し、そのユーザに対して決められたテンプレートの検索用ページを表示するようにもでき、その場合は、利用者は毎回テンプレート選択を行う必要がなくなる。
【００４８】
（２）検索条件の入力（ステップＳ１０２）
ステップＳ１０１において、テンプレートを選択すると、検索フォーム表示部５２（図６）に、「検索条件入力画面」が表示される。利用者は、「検索条件入力画面」に検索条件を入力する。例えば、品番（商品番号）は何か、品名が何かなどを入力する。
図１２に検索条件の入力画面の例を示す（符号ａで示す部分の画面）。図１２に示す検索条件入力画面では、「品番（商品番号）」、「品名」、「価格」などを入力する画面の例であり、利用者は、この「検索条件入力画面」に、検索データを入力する。なお、利用者は必ずしもすべての項目のデータを入力する必要はなく、入力した内容に応じてデータベース１１３の検索が行われる。
【００４９】
（３）データの選択（ステップＳ１０３）
ステップＳ１０２において検索条件の入力が行われると、商品カテゴリ表示部５３（図６）に、「データ選択画面」が表示される。なお、表示されるデータは、ステップＳ１０２で入力された検索条件によりデータベース１１３から抽出された商品についての階層構造のデータである。なお、データとしては、例えば、テキスト、画像、ＣＡＤデータ、３ＤＣＧ（３次元コンピュータグラフィックデータ）などを選択することができる。
図１２に、「データ選択画面」の例を示す（符号ｂで示す部分の画面）。
【００５０】
（４）レコード数の判定（ステップＳ１０４）
ステップＳ１０２でデータの選択が行われると、検索サイトのサーバ１０１は、データベース１１３を参照し、該当するレコードが複数あるかどうかを判断する。該当レコードが複数ある場合は、ステップＳ１０６に移行する。また、該当するレコードが一つの場合は、検索結果表示部５４（図６）に、「レコード詳細画面」を表示する。例えば、図１３に示す画面が表示される。
（５）レコード一覧表示（ステップＳ１０６）
該当するレコードが複数ある場合は、検索結果表示部５４（図６）に、「レコード一覧画面」を表示する。例えば、図１２の符号ｃで示す「レコード一覧画面」が表示される。なお、この「レコード一覧画面」は、「風呂釜」の場合の例である。
（６）レコード選択（ステップＳ１０７）
利用者は、「レコード一覧画面」から、所望のレコードを選択する。そして、検索結果表示部５４（図６）に、「レコード詳細画面」が表示される（ステップＳ１０５）。例えば、図１３に示す「レコード詳細画面」が表示される。なお、この例は、「風呂釜Ａ」についてのレコード詳細画面の例である。
【００５１】
また、図９は、利用者による検索手順の第２のフローを示す図であり、具体的な文字情報が手許にない場合の例である。例えば、「バス（風呂）」に関連する商品を探したいが、そのメーカがどんな商品を作っているかが不明で、関連する商品を一通り見てみたい場合などである。以下、図９に示すフローを参照して、その手順について説明する。
【００５２】
（１）テンプレートの選択（ステップＳ２０１）
まず、端末１１からリンク元（企業Ａサイト２１か、企業Ｂサイト３１か、ポータルサイト４１か）を経由して検索サイトのサーバ１０１にアクセスすると、「テンプレート選択画面」が表示され、利用者は所望の「テンプレート」を選択する。テンプレートの選択は、リンク元がどこか（企業Ａサイト２１か、企業Ｂサイト３１か、ポータルサイト４１か）に応じて選択可能である。また、ポータルサイト４１で会員認証を行う場合は、どの利用者かによりテンプレートを選択することも可能である。また、検索サイトのサーバ１０１を訪れる度に、例えば、企業Ａサイト２１を経由して、検索サイトのサーバ１０１にアクセスする度に、デザインＡの検索用ページを表示するか、またはデザインＡ′の検索用ページを表示するかを、チェックボックスなどで選択できるようにすることができる（図２参照）。
図１４に、テンプレート選択画面の例を示す。図１４は、検索用ページの表示レイアウトをフレーム版、ＦＬＡＳＨ（登録商標）版にするかなどを選択する場合の例を示したものである。なお、前述したように、テンプレートの選択は、検索サイトのサーバ１０１が、どのユーザ（企業）かを自動判別し、決められたテンプレートを表示するようにもでき、その場合は、利用者は毎回テンプレート選択を行う必要がなくなる。
【００５３】
（２）検索条件の入力（ステップＳ２０２）
ステップＳ２０１においてテンプレートの選択を行うと、検索フォーム表示部５２（図６）に「検索条件入力画面」が表示される。利用者は、「検索条件入力画面」に検索条件を入力する。例えば、品番（商品番号）は何か、品名が何かなどを、分かっている範囲で入力する。
図１５に「検索条件入力画面」の例を示す（符号ａで示す部分の画面）。図１５に示す「検索条件入力画面」では、「品番（商品番号）」、「品名」、「価格」などを入力する画面の例であり、利用者は、この検索条件入力画面に、検索データを入力する。なお、利用者は必ずしもすべての項目のデータを入力する必要はなく、入力した内容に応じてデータベース１１３の検索が行われる。
【００５４】
（３）カテゴリ階層の表示（ステップＳ２０３）
検索サイトのサーバ１０１では、利用者が入力した検索条件を基に、データベース１１３を参照して、該当するカテゴリのルートフォルダ（最上階層）１５を基にしたカテゴリ階層を抽出する。そして、商品カテゴリ表示部５３（図６）に、「データ選択画面」として表示する。図１５に例を示す。図１５内の符号ｂで示す「データ選択画面」部分に、カテゴリ階層が表示される。
【００５５】
（４）カテゴリの選択（ステップＳ２０４）
利用者は、カテゴリ階層から所望のカテゴリを選択する。
（５）子カテゴリの有無を判定（ステップＳ２０５）
検索サイトのサーバ１０１では、該当するカテゴリの子カテゴリがあるかどうかを判定する。
（６）下層階のカテゴリを表示（ステップＳ２０６）
子カテゴリがある場合は、下階層のカテゴリを商品カテゴリ表示部５３に表示する。利用者は、所望のカテゴリを選択する。
【００５６】
（７）レコード一覧表示（ステップＳ２０７）
カテゴリが選択されると、検索結果表示部５４（図６）に、「レコード一覧画面」を表示する。図１５の符号ｃで示す部分に、当該カテゴリに属する「レコード一覧画面」が表示される。なお、この例は、「風呂釜」のレコード一覧表示の例である。
（８）レコードの選択（ステップＳ２０８）
利用者は、「レコード一覧画面」からレコードを選択する。
（９）レコード詳細の表示（ステップＳ２０９）
検索結果表示部５４（図６）に、「レコード詳細画面」を表示する。図１６に「レコード詳細画面」の例を示す。なお、この例は、「風呂釜Ａ」についてのレコード詳細画面の例である。
【００５７】
また、図１０は、本発明による検索サイトのサーバの構成例を示すブロック図であり、本発明に直接関係するものを示したものである。図１０において、１０１は検索サイトのサーバ、１１１はインターネットなどの通信ネットワーク１と検索サイトのサーバ１０１を接続する通信用インタフェース、１１２はサーバ全体を統括制御する制御部、１２０は処理プログラム部を示している。
【００５８】
また、処理プログラム部１２０には、以下の処理部が含まれている。
ユーザ情報登録処理部１２１は、検索サイトのサーバ１０１に商品関連情報を登録するユーザ（企業）の情報を登録するための処理部であり、商品関連情報登録処理部１２２は、ユーザの商品関連情報をデータベース１１３に登録するための処理部である。
【００５９】
テンプレート登録処理部１２３は、ユーザまたはポータルサイトにより作成されたテンプレート（検索用ページのテンプレート）を、ユーザごとにデータベース１１３に登録するための処理部である。
【００６０】
テンプレート選択処理部１２４は、データベース１１３に登録されたテンプレートを、利用者の端末１１に提示し、利用者の端末１１において選択させるため処理部である。この場合に、利用者の端末１１に提示されるテンプレートは、端末１１からのアクセスが経由する企業サイトが登録したテンプレートか、または、ポータルサイト４１を経由して参照される企業が登録したテンプレートである。
【００６１】
検索用ページ提供処理部１２５は、データベース１１３に登録されたテンプレートを基に、端末１１からのアクセスが経由する企業サイトごと又は参照される企業ごとにレイアウトを変えた検索用ページを、利用者の端末１１に提供するための処理部である。なお、テンプレート選択処理部１２４により、端末１１においてテンプレートが選択される場合は、選択されたテンプレートにより規定される検索用ページを利用者の端末１１に表示する。
【００６２】
また、データベース検索処理部１２６は、検索用ページに入力された検索条件を基にして、データベース１１３を検索し、検索結果を検索用ページに表示するための処理部である。
【００６３】
なお、この処理プログラム部１２０は専用のハードウエアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、この検索サイトのサーバ１０１には、周辺機器として入力装置、表示装置等（いずれも表示せず）が接続されているものとする。ここで、入力装置としては、キーボード、マウス等の入力デバイスのことをいう。表示装置とは、ＣＲＴ（Ｃａｔｈｏｄｅ  Ｒａｙ  Ｔｕｂｅ）や液晶表示装置等のことをいう。
【００６４】
また、図１０に示す検索サイトのサーバ１０１内の処理プログラム部１２０の機能を実現するためのプログラムをコンピュータ読み取り可能な記録媒体に記録して、この記録媒体に記録されたプログラムをコンピュータシステムに読み込ませ、実行することにより、図１０に示す検索サイトのサーバ１０１内の処理プログラム部１２０に必要な処理を行ってもよい。なお、ここでいう「コンピュータシステム」とは、ＯＳや周辺機器等のハードウェアを含むものとする。
【００６５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００６６】
以上、説明したように、例えば、これまでのポータルサイトでは、たとえ登録企業（ユーザ）が複数、多業種、他業界に渡っていても、アクセス結果や検索結果の表示レイアウトは全て同じであった。また、そのレイアウトは、ポータルサイト運営側が提供するものに限られており、デザインや構成において自由度が著しく乏しかった。また、表示レイアウトが単一であるため、掲載するデータ項目がユーザごとにまちまちである場合、表示の際にそのデータ項目を全て網羅しなければならなかった。
しかしながら、本発明の検索サイトのサーバによれば、企業サイトやポータルサイトにおいて、検索用ページの表示レイアウトにバリエーションを持たせることができる。また、ポータルサイトにおいては、その表示レイアウトはポータルサイト運営側だけでなくユーザ（企業）側からもある程度自由にデザインできるようになり、例えば、ユーザ（企業）ごとに表示項目を選ぶことができる。
【００６７】
また、前述したように、検索サイトのサーバ１０１内のデータベース１１３にアクセスするには、各ユーザ（企業）のホームページからアクセスする（オープンアクセス）方法と、ポータルサイトからアクセスする（ユーザＩＤ、パスワードが必要）する方法がある。
（ａ）企業サイトのホームページからアクセスする場合は、データベース連動型のホームページのデザインは各企業に固有のホームページのデザインと統一することが望ましい。
（ｂ）ポータルサイトからアクセスする場合は、ユーザ（企業間）ごとに画面イメージを変えるのではなく、ポータルサイトとして、ある程度デザインを統一することが望ましい（例えば、レイアウトを統一してカラーバリエーションを持たせるなど）。
本発明では、上記（ａ）、（ｂ）の要望にも柔軟に応えることができる。また、ユーザ（企業）が表示レイアウトを変更したい場合も、頻度に制限なく迅速かつ柔軟に対応できる。
【００６８】
以上、本発明の実施の形態について説明したが、本発明の検索サイトのサーバは、上述の図示例にのみ限定されるものではなく、本発明の要旨を逸脱しない範囲内において種々変更を加え得ることは勿論である。
【００６９】
【発明の効果】
以上説明したように、請求項１に記載の検索サイトのサーバ、請求項６に記載の検索ページ提供方法、及び、請求項１１に記載のプログラムにおいては、仲介サイトごとに、検索用ページのレイアウトを規定するテンプレートを登録する。そして、登録されたテンプレートを基に、端末からのアクセスが経由する仲介サイトごとにレイアウトを変えた検索用ページを利用者の端末に提供する。
これにより、検索用ページの表示レイアウトのデザインに自由度を持たせることができ、仲介サイトごとのイメージやカラーを前面に出すことができる。また、仲介サイトごとに、表示項目を絞り込むことができるため、無駄が省かれ、利用者がアクセスする際の負荷が軽減される。
【００７０】
また、請求項２に記載の検索サイトのサーバ、請求項７に記載の検索ページ提供方法、及び、請求項１２に記載のプログラムにおいては、データベースに商品関連情報を登録する企業毎に、検索用ページのレイアウトを規定するテンプレートを登録する。そして、登録されたテンプレートを基に、参照される企業ごとにレイアウトを変えた検索用ページを利用者の端末に提供する。
これにより、検索用ページの表示レイアウトのデザインに自由度を持たせることができ、ユーザ（企業）ごとのイメージやカラーを前面に出すことができる。また、ユーザごとに、表示項目を絞り込むことができるため、無駄が省かれ、利用者がアクセスする際の負荷が軽減される。
【００７１】
また、請求項３に記載の検索サイトのサーバ、請求項８に記載の検索ページ提供方法、及び、請求項１３に記載のプログラムにおいては、仲介サイトごとに、検索用ページのレイアウトを規定する１または２以上のテンプレートを登録する。また、登録されたテンプレートを、端末からのアクセスが経由する仲介サイトに応じて利用者の端末に提示し、利用者の端末においてテンプレートを選択させる。そして、選択されたテンプレートにより規定されるレイアウトの検索用ページを利用者の端末に提供する。
これにより、検索用ページの表示レイアウトのデザインに自由度を持たせることができ、仲介サイトごとのイメージやカラーを前面に出すことができる。また、仲介サイトごとに、表示項目を絞り込むことができるため、無駄が省かれ、利用者がアクセスする際の負荷が軽減される。また、利用者も検索用ページのレイアウトを与えられた範囲内で選択することができる。
【００７２】
また、請求項４に記載の検索サイトのサーバ、請求項９に記載の検索ページ提供方法、及び、請求項１４に記載のプログラムにおいては、データベースに商品関連情報を登録する企業毎に、検索用ページのレイアウトを規定する１または２以上のテンプレートを登録する。また、登録されたテンプレートを、参照される企業に応じて利用者の端末に提示し、利用者の端末においてテンプレートを選択させる。そして、選択されたテンプレートにより規定されるレイアウトの検索用ページを利用者の端末に提供する。
これにより、検索用ページの表示レイアウトのデザインに自由度を持たせることができ、ユーザ（企業）ごとのイメージやカラーを前面に出すことができる。また、ユーザごとに、表示項目を絞り込むことができるため、無駄が省かれ、利用者がアクセスする際の負荷が軽減される。また、利用者も検索用ページのレイアウトを与えられた範囲内で選択することができる。
【００７３】
また、請求項５に記載の検索サイトのサーバ及び請求項１０に記載の検索ページ提供方法においては、企業サイトあるいはポータルサイトを経由して利用者の端末に検索用ページを提供することができる。
【図面の簡単な説明】
【図１】発明による検索サイトのサーバを用いたシステムの構成例を示す図である。
【図２】本発明の概念を説明するための図である。
【図３】本発明の検索サイトのサーバが有する手段の構成例を示す図である。
【図４】データベース記録される商品関連情報の構成例を示す図である。
【図５】商品カテゴリ階層の具体的な例を示す図である。
【図６】検索用ページのテンプレートの構成例を示す図である。
【図７】検索と表示処理について説明するための図である。
【図８】利用者による検索手順の第１のフローを示す図である。
【図９】利用者による検索手順の第２のフローを示す図である。
【図１０】本発明による検索サイトのサーバの構成例を示すブロック図である。
【図１１】テンプレート選択画面の例を示す図その１である。
【図１２】検索条件の入力、データ選択、レコード一覧の画面の例を示す図その１である。
【図１３】レコード詳細の画面例を示す図その１である。
【図１４】テンプレート選択画面の例を示す図その２である。
【図１５】検索条件の入力、データ選択、レコード一覧の画面の例を示す図その２である。
【図１６】レコード詳細の画面例を示す図その２である。
【符号の説明】
１１  利用者の端末
２１  企業Ａサイト
２２  企業Ａのサーバ
３１  企業Ｂサイト
３２  企業Ｂのサーバ
４１  ポータルサイト
４２  ポータルサイトのサーバ
１００  検索サイト
１０１  検索サイトのサーバ
１０２  ユーザ情報登録手段
１０３  商品関連情報登録手段
１０４  テンプレート登録手段
１０５  テンプレート選択手段
１０６  検索用ページ提供手段
１０７  データベース検索手段
１１３  データベース
【図１】
2005025287.tif 000003
【図２】
2005025287.tif 000004
【図３】
2005025287.tif 000005
【図４】
2005025287.tif 000006
【図５】
2005025287.tif 000007
【図６】
2005025287.tif 000008
【図７】
2005025287.tif 000009
【図８】
2005025287.tif 000010
【図９】
2005025287.tif 000011
【図１０】
2005025287.tif 000012
【図１１】
2005025287.tif 000013
【図１２】
2005025287.tif 000014
【図１３】
2005025287.tif 000015
【図１４】
2005025287.tif 000016
【図１５】
2005025287.tif 000017
【図１６】
2005025287.tif 000018